(57)【特許請求の範囲】
【請求項１】
コンテンツの再生機能を有するナビゲーション装置と、該ナビゲーション装置との間で通信を行うサーバとを含むナビゲーションシステムであって、
前記ナビゲーション装置により再生されたコンテンツの特性に基づいて、ユーザの嗜好情報を作成する嗜好情報作成部を備え、
前記ナビゲーション装置は、前記ナビゲーション装置の現在位置及び目的地の情報を前記サーバに送信し、
前記サーバは、前記ナビゲーション装置から受信した前記ナビゲーション装置の現在位置及び目的地の情報と、前記嗜好情報作成部により作成されたユーザの嗜好情報とに基づいて、前記現在位置から前記目的地までのルートであって、前記嗜好情報作成部により作成されたユーザの嗜好情報に合致するルートを決定し、該決定したルートの情報を前記ナビゲーション装置に送信し、
前記ナビゲーション装置により再生された前記コンテンツ及び該コンテンツの特性は、それぞれ音楽及びジャンルであり、
前記サーバは、ユーザの嗜好するルートを複数の嗜好観点で評価するときの各嗜好観点の重み付けと、音楽のジャンルとを対応付けた嗜好情報対応テーブルを保有し、
前記サーバがユーザの嗜好情報に合致するルートを決定するときの該ユーザの嗜好情報は、前記嗜好情報作成部が、前記ナビゲーション装置により再生された前記音楽のジャンルに対応付けられる各嗜好観点の重み付けを、前記嗜好情報対応テーブルを参照して求め、求めた各嗜好観点の重み付けに基づいて作成したユーザの嗜好情報であることを特徴とするナビゲーションシステム。
【請求項２】
請求項１に記載のナビゲーションシステムにおいて、
前記嗜好情報作成部は、前記ナビゲーション装置で再生されていた音楽が、ユーザの選択操作に応じて他の音楽に変更されたときに、変更後の音楽のジャンルに基づいて、ユーザの嗜好情報を更新することを特徴とするナビゲーションシステム。
【請求項３】
コンテンツの再生機能を有するナビゲーション装置に対して、サーバからルート情報を送信する方法であって、
前記ナビゲーション装置又は前記サーバが、前記ナビゲーション装置により再生されたコンテンツの特性に基づいて、ユーザの嗜好情報を作成する嗜好情報作成ステップと、
前記ナビゲーション装置が、前記ナビゲーション装置の現在位置及び目的地の情報を前記サーバに送信するルート検索条件送信ステップと、
前記サーバが、前記ナビゲーション装置から受信した前記ナビゲーション装置の現在位置及び目的地の情報と、前記嗜好情報作成ステップにより作成されたユーザの嗜好情報とに基づいて、前記現在位置から前記目的地までのルートであって、前記嗜好情報作成ステップにおいて作成されたユーザの嗜好情報に合致するルートを決定し、該決定したルートの情報を前記ナビゲーション装置に送信する決定ルート送信ステップと
を含み、
前記ナビゲーション装置により再生された前記コンテンツ及び該コンテンツの特性は、それぞれ音楽及びジャンルであり、
前記サーバは、ユーザの嗜好するルートを複数の嗜好観点で評価するときの各嗜好観点の重み付けと、音楽のジャンルとを対応付けた嗜好情報対応テーブルを保有し、
前記決定ルート送信ステップにおいてユーザの嗜好情報に合致するルートを決定するときの該ユーザの嗜好情報は、前記嗜好情報作成ステップにおいて、前記ナビゲーション装置により再生された前記音楽のジャンルに対応付けられる各嗜好観点の重み付けを、前記嗜好情報対応テーブルを参照して求め、求めた各嗜好観点の重み付けに基づいて作成したユーザの嗜好情報であることを特徴とするナビゲーション方法。
【請求項４】
コンテンツの再生機能を有するナビゲーション装置との間で通信を行う通信部と、
前記ナビゲーション装置から、前記ナビゲーション装置で再生されたコンテンツと、前記ナビゲーション装置の現在位置と、前記ナビゲーション装置で設定された目的地との情報を受信するルート検索受付部と、
前記ルート検索受付部により受信されたコンテンツの情報から認識される該コンテンツの特性に基づいて、ユーザの嗜好情報を作成する嗜好情報作成部と、
前記ルート検索受付部により受信された前記ナビゲーション装置の現在位置及び目的地の情報と、前記嗜好情報作成部により作成されたユーザの嗜好情報とに基づいて、前記現在位置から前記目的地までのルートであって、前記嗜好情報作成部により作成されたユーザの嗜好情報に合致するルートを決定するルート決定部と
を備え、
前記ナビゲーション装置により再生された前記コンテンツ及び該コンテンツの特性は、それぞれ音楽及びジャンルであり、
ユーザの嗜好するルートを複数の嗜好観点で評価するときの各嗜好観点の重み付けと、音楽のジャンルとを対応付けた嗜好情報対応テーブルを保有し、
前記ルート決定部がユーザの嗜好情報に合致するルートを決定するときの該ユーザの嗜好情報は、前記嗜好情報作成部が、前記ナビゲーション装置により再生された前記音楽のジャンルに対応付けられる各嗜好観点の重み付けを、前記嗜好情報対応テーブルを参照して求め、求めた各嗜好観点の重み付けに基づいて作成したユーザの嗜好情報であることを特徴とするサーバ。
【発明の詳細な説明】
【技術分野】
【０００１】
本発明は、サーバから送信される情報に基づいて、目的地までのルートを案内するナビゲーションシステムに関する。
【背景技術】
【０００２】
従来、車両で使用されるナビゲーション装置においては、車両の現在位置と目的地に対して、最短時間で目的地に到着すると予測されるルート、最短距離で目的地に到着するルート、有料道路で支払う料金が最少となるルートといった、予め設定された検索条件に従って複数のルートを検索して運転者に提示する構成が一般的である。
【０００３】
また、このような画一的なルート検索から脱却して、目的地までの行程をより快適なものとするためのアプローチとして、行程途中の娯楽性（「景色が良い道」等）が高いルートを候補として提示するようにした技術が提案されている（例えば、特許文献１参照）。
【先行技術文献】
【特許文献】
【０００４】
【特許文献１】特開２００９−２４４１６０号公報
【発明の概要】
【発明が解決しようとする課題】
【０００５】
複数台の車両が並走する状況において、各車両の走行ペースは運転者の運転スタイルによって相違する。そして、走行ペースの相違により各車両のスムーズな走行が妨げられて渋滞等が発生し、運転者にストレスが生じる場合がある。
【０００６】
本発明はかかる背景に鑑みてなされたものであり、運転者にストレスを生じさせる可能性を低下し得るルートを決定するナビゲーションシステムを提供することを目的とする。
【課題を解決するための手段】
【０００７】
本発明のナビゲーションシステムは、
コンテンツの再生機能を有するナビゲーション装置と、該ナビゲーション装置との間で通信を行うサーバとを含むナビゲーションシステムであって、
前記ナビゲーション装置により再生されたコンテンツの特性に基づいて、ユーザの嗜好情報を作成する嗜好情報作成部を備え、
前記ナビゲーション装置は、前記ナビゲーション装置の現在位置及び目的地の情報を前記サーバに送信し、
前記サーバは、前記ナビゲーション装置から受信した前記ナビゲーション装置の現在位置及び目的地の情報と、前記嗜好情報作成部により作成されたユーザの嗜好情報とに基づいて、前記現在位置から前記目的地までのルートであって、前記嗜好情報作成部により作成されたユーザの嗜好情報に合致するルートを決定し、該決定したルートの情報を前記ナビゲーション装置に送信し、
前記ナビゲーション装置により再生された前記コンテンツ及び該コンテンツの特性は、それぞれ音楽及びジャンルであり、
前記サーバは、ユーザの嗜好するルートを複数の嗜好観点で評価するときの各嗜好観点の重み付けと、音楽のジャンルとを対応付けた嗜好情報対応テーブルを保有し、
前記サーバがユーザの嗜好情報に合致するルートを決定するときの該ユーザの嗜好情報は、前記嗜好情報作成部が、前記ナビゲーション装置により再生された前記音楽のジャンルに対応付けられる各嗜好観点の重み付けを、前記嗜好情報対応テーブルを参照して求め、求めた各嗜好観点の重み付けに基づいて作成したユーザの嗜好情報であることを特徴とする。
【０００８】
かかる本発明によれば、ナビゲーション装置で再生されたコンテンツの特性に基づいて、嗜好情報作成部によりユーザの嗜好情報が作成される。ここで、コンテンツの特性とは、例えば音楽のコンテンツが再生されているときには、音楽のジャンル（ロック、カントリー、ポップス、クラシック等）が該当し、嗜好情報作成部は、音楽のジャンルから想定されるユーザ（聴視者）の嗜好を反映させた嗜好情報（ロックであれば速い走行ペースで移動し、カントリーであれば風景を楽しみながらゆっくりとした走行ペースで移動する等）を作成する。そして、このようなユーザの嗜好は、ユーザが車両を運転する際の走行ペースに影響すると想定される。
【０００９】
そこで、サーバは、ナビゲーション装置の現在位置及び目的地と、ユーザの嗜好情報とに基づいて、目的地までのルートを決定し、決定したルートの情報をナビゲーション装置に送信する。これにより、嗜好が同じユーザについては共通のルートが決定されるため、ナビゲーション装置を使用して車両を運転している各ユーザ（運転者）は、自身の嗜好の違いに応じたルートに振り分けられる。その結果、同じルートを走行する車両の走行ペースが均一化されて渋滞が起こり難くなるため、ユーザに渋滞によるストレスが生じる可能性を低下させることができる。また、仮に渋滞が生じたとしも、ユーザは自身の嗜好に合致した道（風景が良い道、沿道の店が多い道等）を走行しているので、ストレスが生じ難くなることが期待できる。
【００１０】
好ましくは、本発明のナビゲーションシステムにおいて、前記嗜好情報作成部は、前記ナビゲーション装置で再生されていたコンテンツが、ユーザの選択操作に応じて他のコンテンツに変更されたときに、変更後の音楽のジャンルに基づいて、ユーザの嗜好情報を更新する。
【００１１】
この構成によれば、ナビゲーション装置で再生されるコンテンツが変更されたときには、ユーザが気分転換をしようとしていると想定される。そこで、変更されたコンテンツの特性に基づいてユーザの嗜好情報を更新することにより、ユーザの現在の気分により適合したルートを決定することができる。
【００１２】
次に、本発明のナピゲーション方法は、
コンテンツの再生機能を有するナビゲーション装置に対して、サーバからルート情報を送信する方法であって、
前記ナビゲーション装置又は前記サーバが、前記ナビゲーション装置により再生されたコンテンツの特性に基づいて、ユーザの嗜好情報を作成する嗜好情報作成ステップと、
前記ナビゲーション装置が、前記ナビゲーション装置の現在位置及び目的地の情報を前記サーバに送信するルート検索条件送信ステップと、
前記サーバが、前記ナビゲーション装置から受信した前記ナビゲーション装置の現在位置及び目的地の情報と、前記嗜好情報作成ステップにより作成されたユーザの嗜好情報とに基づいて、前記現在位置から前記目的地までのルートであって、前記嗜好情報作成ステップにおいて作成されたユーザの嗜好情報に合致するルートを決定し、該決定したルートの情報を前記ナビゲーション装置に送信する決定ルート送信ステップと
を含み、
前記ナビゲーション装置により再生された前記コンテンツ及び該コンテンツの特性は、それぞれ音楽及びジャンルであり、
前記サーバは、ユーザの嗜好するルートを複数の嗜好観点で評価するときの各嗜好観点の重み付けと、音楽のジャンルとを対応付けた嗜好情報対応テーブルを保有し、
前記決定ルート送信ステップにおいてユーザの嗜好情報に合致するルートを決定するときの該ユーザの嗜好情報は、前記嗜好情報作成ステップにおいて、前記ナビゲーション装置により再生された前記音楽のジャンルに対応付けられる各嗜好観点の重み付けを、前記嗜好情報対応テーブルを参照して求め、求めた各嗜好観点の重み付けに基づいて作成したユーザの嗜好情報であることを特徴とする。
【００１３】
かかる本発明によれば、嗜好情報作成ステップにより、ナビゲーション装置で再生されているコンテンツの特性に基づいて、ユーザの嗜好情報が作成される。そして、ルート検索条件送信ステップにより、ナビゲーション装置は、ナビゲーション装置の現在位置及び目的地の情報をサーバに送信する。また、決定ルート送信ステップにより、サーバは、ナビゲーション装置の現在位置及び目的地と、ユーザの嗜好情報とに基づいて、目的地までのルートを決定し、決定したルートの情報をナビゲーション装置に送信する。これにより、嗜好が同じユーザについては共通のルートが決定され、ナビゲーション装置を使用して車両を運転している各ユーザ（運転者）は、嗜好の違いに応じた共通のルートに割り振られる。その結果、同じルートを走行する車両の走行ペースが均一化されて渋滞が起こり難くなるため、ユーザに渋滞によるストレスが生じる可能性を低下させることができる。また、仮に渋滞が生じたとしも、ユーザは自身の嗜好（風景が良い、沿道の店が多い等）に合致した道を走行しているので、ストレスが生じ難くなることが期待できる。
【００１７】
次に、本発明のサーバは、
コンテンツの再生機能を有するナビゲーション装置との間で通信を行う通信部と、
前記ナビゲーション装置から、前記ナビゲーション装置で再生されたコンテンツと、前記ナビゲーション装置の現在位置と、前記ナビゲーション装置で設定された目的地との情報を受信するルート検索受付部と、
前記ルート検索受付部により受信されたコンテンツの情報から認識される該コンテンツの特性に基づいて、ユーザの嗜好情報を作成する嗜好情報作成部と、
前記ルート検索受付部により受信された前記ナビゲーション装置の現在位置及び目的地の情報と、前記嗜好情報作成部により作成されたユーザの嗜好情報とに基づいて、前記現在位置から前記目的地までのルートであって、前記嗜好情報作成部により作成されたユーザの嗜好情報に合致するルートを決定するルート決定部と
を備え、
前記ナビゲーション装置により再生された前記コンテンツ及び該コンテンツの特性は、それぞれ音楽及びジャンルであり、
ユーザの嗜好するルートを複数の嗜好観点で評価するときの各嗜好観点の重み付けと、音楽のジャンルとを対応付けた嗜好情報対応テーブルを保有し、
前記ルート決定部がユーザの嗜好情報に合致するルートを決定するときの該ユーザの嗜好情報は、前記嗜好情報作成部が、前記ナビゲーション装置により再生された前記音楽のジャンルに対応付けられる各嗜好観点の重み付けを、前記嗜好情報対応テーブルを参照して求め、求めた各嗜好観点の重み付けに基づいて作成したユーザの嗜好情報であることを特徴とする。
【００１８】
かかる本発明によれば、ルート検索受付部は、ナビゲーション装置により再生されたコンテンツの情報を、ナビゲーション装置から受信する。また、嗜好情報作成部により、コンテンツの特性に基づいてユーザの嗜好情報が作成される。そして、決定ルート送信部により、ナビゲーション装置の現在位置及び目的地の情報と、ユーザの嗜好情報とに基づいて、目的地までのルートが決定され、決定されたルートの情報がナビゲーション装置に送信される。
【００１９】
これにより、嗜好が同じユーザについては共通のルートが決定されるため、ナビゲーション装置を使用して車両を運転している各ユーザ（運転者）は、嗜好の違いに応じた共通のルートに振り分けられる。その結果、同じルートを走行する車両の走行ペースが均一化されて渋滞が起こり難くなるため、ユーザに渋滞によるストレスが生じる可能性を低下させることができる。また、仮に渋滞が生じたとしも、ユーザは自身の嗜好（風景が良い、沿道の店が多い等）に合致した道を走行しているので、ストレスが生じ難くなることが期待できる。
【図面の簡単な説明】
【００２０】
【図１】ナビゲーションシステムの構成図。
【図２】図１に示したナビゲーション装置の構成図。
【図３】図１に示したサーバの構成図。
【図４】サーバによるルート決定処理のフローチャート。
【図５】嗜好情報対応テーブルの説明図。
【図６】運転者の嗜好に基づくルート決定の説明図。
【発明を実施するための形態】
【００２１】
本発明の実施の形態について、図１〜図６を参照して説明する。
【００２２】
図１を参照して、本実施形態のナビゲーションシステムは、車両１（乗用車）に装着されたナビゲーション装置１０と、通信ネットワーク２を介してナビゲーション装置１０と通信を行うサーバ５０とにより構成されている。ナビゲーション装置１０及びサーバ５０により、本発明のナビゲーション方法が実施される。
【００２３】
車両１の運転を行うユーザＰは、サーバ５０の運用サイトでユーザ登録を行ってユーザＩＤを取得し、ナビゲーション装置１０からユーザＩＤを使用してサーバ５０にアクセスすることによって、サーバ５０からルート情報とコンテンツ（音楽、映像等）のデータを受信することができる。
【００２４】
なお、本発明のナビゲーション装置は、本実施形態の車載タイプのナビゲーション装置１０の他、車両１に容易に脱着可能なポータブルタイプのナビゲーション装置であってもよく、スマートフォン等の携帯端末３０のアプリケーションにより提供されるナビゲーション装置であってもよい。
【００２５】
次に、図２を参照して、ナビゲーション装置１０は、ＧＰＳセンサ１１ａ（本発明の現在位置検出部に相当する）、車速センサ１１ｂ、ジャイロセンサ１１ｃ等を含むセンサ部１１と、各種データを保持する記憶部１２と、近接無線通信部１３ａ及び携帯電話網無線通信部１３ｂを含む無線通信部１３と、ナビゲーション装置１０の全体的な作動を制御するナビ制御部２０と、表示部１５と、入力部１６（本発明の目的地受付部の機能を含む）と、音楽再生部１７（本発明のコンテンツ再生機能を実現する）と、ナビゲーション部１８とを備えている。
【００２６】
記憶部１２は半導体メモリ等により構成されており、ＯＳ（Operating System）や各種アプリ（アプリケーション）のプログラム、地図情報、センサ部１１による検出データ等の種々のデータが保持されている。本実施形態では、サーバ５０に対して目的地までのルート情報の提供を要求するナビアプリと、サーバ５０に対して音楽等のコンテンツの送信を要求するラジオアプリ等のプログラムが、記憶部１２に保持されている。
【００２７】
無線通信部１３の近接無線通信部１３ａは、Wi-Fi（Wireless Fidelity、登録商標）、Bluetooth（登録商標）等の無線通信規格により、付近に存在する携帯端末３０との間で無線通信を行う。また、無線通信部１３の携帯電話網無線通信部１３ｂは、３Ｇやセルラー等の携帯電話網によりサーバ５０との間で無線通信を行う。
【００２８】
表示部１５は、液晶パネル等により構成され、ナビゲーション部１８によるルート案内の表示、音楽再生部１７により再生されている音楽の曲名等の情報の表示等を行う。入力部１６は、ボタンスイッチ、タッチパネル等により構成されて、ユーザ（車両１の乗員）による指示操作（目的地の入力、コンテンツの選択等）を受け付ける
音楽再生部１７は、サーバ５０から受信（ダウンロード）した音楽コンテンツ、記憶部１２に保持された音楽データ、記録媒体（メモリカード、ＣＤ等）に記録された音楽データ等を再生して、車両１に備えられたスピーカ（図示しない）から出力する。
【００２９】
ナビゲーション部１８は、ＧＰＳセンサ１１ａにより検出される車両１の現在位置と、記憶部１２に保持された地図データ等に基づいて、目的までのルート案内を表示部１５への表示と音声出力等によって行う。
【００３０】
ナビ制御部２０は、図示しないＣＰＵ、メモリ、インターフェース回路等により構成された電子回路ユニットであり、メモリに保持されたナビゲーション装置１０の制御用プログラムをＣＰＵで実行することによってナビゲーション装置１０の全体的な作動を制御し、サーバ５０に対して、目的地までのルート情報の提供を要求するルート情報取得部２１として機能する。
【００３１】
ナビ制御部２０には、センサ部１１の各センサ１１ａ，１１ｂ，１１ｃによる検出信号と、入力部１６により受け付けられた操作信号とが入力される。ナビ制御部２０は、センサ部１１から入力される検出信号によって、車両１（自車両）の現在位置を認識して、表示部１５に表示されるナビゲーション画面の地図上に車両１の現在位置を示す。また、ナビ制御部２０から出力される制御信号によって、無線通信部１３、表示部１５、音楽再生部１７、及びナビゲーション部１８の作動が制御される。
【００３２】
ルート情報取得部２１は、車両１の現在位置情報及び目的地の情報と、音楽再生部１７により再生されている音楽の情報とをサーバ５０に送信して、目的地までのルート情報を要求し、この要求に応じてサーバ５０により決定されたルートの情報をサーバ５０から受信する。
【００３３】
次に、図３を参照して、サーバ５０は、通信部５１と、記憶部５２と、サーバ制御部６０とを含んで構成されている。
【００３４】
通信部５１は、インターネット等の通信ネットワーク２を介して、ナビゲーション装置１０及び携帯端末３０等との間で通信を行う機能を有している。
【００３５】
記憶部５２は、種々のエリアに区画されており、コンテンツエリア７０には、ナビゲーション装置１０及び携帯端末３０等の通信端末に配信する情報が保持されている。具体的には、音楽コンテンツである音楽データ７１、観光情報や時事の話題等についてのディスクジョッキーのナレーションのコンテンツである構成されたナレーションデータ７２、写真、及び動画等のコンテンツである映像データ７３が保持されている。
【００３６】
また、ユーザ情報エリア８０には、サーバ５０の運用サイトに登録したユーザ（本実施形態ではナビゲーション装置１０のユーザであるＰ）に固有に割り当てられたユーザＩＤ８２と、ユーザプロファイル８３と、そのユーザの嗜好情報８４を関連付けて構成されたユーザ情報ブロック８１（８１ａ，８１ｂ，８１ｃ，…）が、ユーザごとに保持されている。
【００３７】
ユーザプロファイル８３には、サーバ５０の運用サイトへの登録時又はその後の修正時に入力されたユーザのプロファイル（性別、年齢、趣味等）の情報が保持されている。
【００３８】
嗜好情報８４は、ナビゲーション装置１０で再生された音楽のジャンル（本発明のコンテンツの特性に相当する）を、図４に示した嗜好情報対応テーブル８５に適用して得たポイントに基づいて作成される。嗜好情報対応テーブル８５は、音楽のジャンルを、第１ジャンル（ブルース、ジャズ、クラシック、フォーク）、第２ジャンル（ロック、オルタネイティブ、ヘヴィメタル）、第３ジャンル（カントリー、映画のサントラ、ポップス）、及び第４ジャンル（ヒップホップ、ソウル、ファンク、エレクトロニカ）に分け、ジャンル毎に、道路の走行環境（信号の少なさ、最高速度、景色、沿道の店舗数）のポイント（重み付け）を設定している。
【００３９】
例えば、第１ジャンルの音楽を聴取しているユーザ（運転者）は、比較的スローペースの曲が好みであるため、ゆっくりとした走行ペースで運転すると想定される。そこで、第１ジャンルについては、「景色」に最高ポイントである５を割り当て、「店舗」に次ポイントである４を割り当てている。また、「信号の少なさ」には２、「最高速度」には最低ポイントである１を割り当てている。
【００４０】
そのため、第１ジャンルの音楽を聴取しているユーザに対しては、「景色」が良く沿道の「店舗」が多いルートが、「信号」が少なめで「最高速度」が高いルートよりも優先して検索される。
【００４１】
また、第２ジャンルの音楽を聴取しているユーザ（運転者）は、アップビートでハイテンポの曲が好みであるため、速いペースで走行すると想定される。そこで、第２ジャンルについては、「最高速度」と「信号の少なさ」に最高ポイントである５を割り当て、「景色」と「店舗数」には最低ポイントである１を割り当てている。
【００４２】
そのため、第２ジャンルの音楽を聴取しているユーザに対しては、「最高速度」が高くて「信号が少ない」ルートが、「景色」が良いルートや「店舗数」が多いルートよりも優先して検索される。
【００４３】
このように、嗜好情報対応テーブル８５を参照して作成されたユーザの嗜好情報を用いることによって、ユーザ（運転者）が聴取した音楽のジャンルから想定したユーザの嗜好に合致すると想定されるルートを決定することができる。
【００４４】
また、ナビゲーションエリア９０には、交通情報データ９１、地図データ９２、及び店舗情報データ９３が保持されている。
【００４５】
サーバ制御部６０は、図示しないＣＰＵ、メモリ、インターフェース回路等により構成された電子回路ユニットであり、メモリに保持されたサーバ５０の制御用プログラムをＣＰＵで実行することによりってサーバ５０の全体的な作動を制御し、ルート検索受付部６１、嗜好情報作成部６２、及びルート決定部６３として機能する。ルート検索受付部６１、嗜好情報作成部６２、及びルート決定部６３による処理については後述する。
【００４６】
次に、図５に示したフローチャートに従って、ナビゲーション装置１０からの検索要求に応じて、サーバ５０が目的地までのルートを決定し、決定したルートの情報をナビゲーション装置１０に送信する一連の処理について説明する。
【００４７】
ナビゲーション装置１０のルート情報取得部２１は、入力部１６によってユーザＰによる目的地の入力操作とルート検索の指示が受け付けられたときに、サーバ５０に対して、携帯電話網無線通信部１３ｂにより、現在位置及び目的地の情報と、音楽再生部１７により再生されている音楽の情報（曲名、アーティスト名等、本発明のコンテンツの情報に相当する）とを含む、ルート検索指示データをサーバ５０に送信する（本発明のナビゲーション方法におけるルート検索条件送信ステップに相当する）。
【００４８】
サーバ５０は、図５のＳＴＥＰ１で、ナビゲーション装置１０からルート検索指示データを受信したときにＳＴＥＰ２以下の処理を実行する。ＳＴＥＰ１〜ＳＴＥＰ２は、ルート検索受付部６１による処理である。
【００４９】
ルート検索受付部６１は、ＳＴＥＰ１でルート検索指示データを受信したときにＳＴＥＰ２に進み、ルート検索指示データに含まれるナビゲーション装置１０の現在位置（車両１の現在位置）及び目的地の情報と、ナビゲーション装置１０で再生されている音楽の情報とを取得する。
【００５０】
続くＳＴＥＰ３は、嗜好情報作成部６２による処理（本発明のナビゲーション方法における嗜好情報作成ステップに相当する）である。嗜好情報作成部６２は、音楽の情報から再生中の音楽が上述した第１ジャンル〜第４ジャンルのいずれに該当するかを判断する。この判断は、曲名とジャンルとを関連付けたデータベースを有する他のサーバにアクセスして行ってもよい。
【００５１】
そして、嗜好情報作成部６２は、上述したように、図４に示した嗜好情報対応テーブル８５に、ナビゲーション装置１０で再生されている曲のジャンルを適用して、ユーザの嗜好情報８４を作成し、ユーザ情報エリア８０のユーザ情報ブロック８１に保持する。なお、ユーザの嗜好情報８４を、ナビゲーション装置１０で再生されている音楽に代えて又は加えて、以前に再生された音楽履歴の情報に基づいて作成してもよい。
【００５２】
ユーザ嗜好情報８４に加えて、ユーザプロファイル８３の情報も加味してルートを決定してもよい。例えば、ユーザプロファイル８３に趣味が食べ歩きであることが記録されているときには、沿線に郷土料理のレストランがあるルートを選択するようにしてもよい。
【００５３】
続くＳＴＥＰ４〜ＳＴＥＰ５は、ルート決定部６３による処理（本発明のナビゲーション方法における決定ルート送信ステップに相当する）である。ルート決定部６３は、上述したように、ユーザＰの嗜好情報８４に基づき、交通情報データ９１、地図データ９２、及び店舗情報データ９３を参照して、目的地までのルートを決定する。そして、次のＳＴＥＰ５で、ルート決定部は、決定したルートの情報をナビゲーション装置１０に送信する。
【００５４】
ナビゲーション装置１０においては、サーバ５０から送信されたルートの情報がルート情報取得部２１によって取得され、ナビゲーション部１８により、サーバ５０で決定されたユーザの嗜好に基づくルートにより、目的地までのルート案内が開始される。
【００５５】
次のＳＴＥＰ６〜ＳＴＥＰ８は、嗜好情報作成部６２による処理である。嗜好情報作成部６２は、ＳＴＥＰ６でナビゲーション装置１０から送信される再生中の音楽の情報を随時受信し、ＳＴＥＰ７で音楽が変更されたか否か（ユーザＰの選択操作により音楽が変更されたか否か）を判断する。
【００５６】
そして、音楽が変更されたときはＳＴＥＰ８に進み、ナビゲーション装置１０から現在位置の情報を取得してＳＴＥＰ３に戻る。これにより、変更後の音楽のジャンルに基づいてユーザの嗜好情報８４が更新され、ＳＴＥＰ４で目的地までのルートが再検索される。
【００５７】
一方、ナビゲーション装置１０で再生されている音楽が変更されていないときには、ＳＴＥＰ７からＳＴＥＰ５に戻り、この場合には、ユーザＰの嗜好情報８４は更新されない。
【００５８】
図５の処理により、ナビゲーション装置１０に対して、ユーザ（運転者）Ｐの嗜好に基づいて決定されたルートの情報が送信される。
【００５９】
そして、サーバ５０の運用サイトに登録した他のユーザのナビゲーション装置１０に対しても、各ユーザの嗜好に基づいて決定されたルートの情報が提供される。そのため、図６に示したように、ナビゲーション装置１０を備えた車両１の現在位置１００から目的地１１０までのルートが、各ユーザの嗜好に基づいて、図４に示した第１ジャンルに嗜好があるユーザに対しては、景色が良く車の流れが遅めであるルートＲ１が決定される。
【００６０】
また、第２ジャンルに嗜好があるユーザに対しては、車の流れが速い有料道路Ｒ２が決定される。また、第３ジャンルに嗜好があるユーザに対しては、沿道の店舗数が多いルートＲ３が決定される。
【００６１】
このように、運転者の嗜好に合わせてルートを決定することにより、ルートＲ１には、比較的走行ペースが遅い車両が集まり、ルートＲ２には比較的走行ペースが速い車両が集まる。そのため、各ルートを走行する車両の走行ペースが均一化されて、渋滞が生じ難くなる。そのため、渋滞により、ユーザにストレスを生じさせる可能性を低下させることができる。
【００６２】
また、例え渋滞が生じたとしても、各車両１は、ユーザの嗜好に合致しているルートを走行しているため、風景を楽しむ、店舗に立ち寄る等によりリラックスできるため、ユーザにストレスが生じ難くなることが期待できる。
【００６３】
［変形形態１］
上記実施形態では、嗜好情報作成部６２をサーバ５０に備えたが、ナビゲーション装置１０に備えるようにしてもよい。この場合は、ナビゲーション装置１０のナビ制御部２０が嗜好情報作成部６２として機能し、嗜好情報作成部６２は、記憶部１２又はサーバ５０等に保持された嗜好情報対応テーブル８５を用いて、音楽再生部１７により再生されている音楽のジャンルに基づいてユーザの嗜好情報を作成する。
【００６４】
そして、ナビゲーション装置１０からサーバに対してユーザの嗜好情報を送信することにより、サーバ５０のルート決定部６３が、嗜好情報に基づいて目的地までのルートを決定する。
【００６５】
［変形形態２］
本実施形態では、車両１に備えられて車両１のルート案内を行うナビゲーション装置１０を示したが、歩行者が持ち歩くポータブルタイプのナビゲーション装置や、スマートフォン等の携帯端末のアプリにより構成されるナビゲーション装置により、歩行者の歩行ルートを案内する場合にも本発明の適用が可能である。この場合には、嗜好が共通する歩行者が同じペースで同じルートを歩くことになるので、ストレスが生じ難くなり、また、歩行者同士の交流も促進されることが期待できる。
【００６６】
［変形形態３］
上記実施形態では、ナビゲーション装置１０で再生されるコンテンツとして音楽を示したが、ユーザの嗜好を推認し得るコンテンツであればよいので、画像、映像、ナレーション等の他のコンテンツの再生状況によって嗜好情報を作成するようにしてもよい。
【符号の説明】
【００６７】
１…車両（乗用車）、１０…ナビゲーション装置、２０…ナビ制御部、２１…ルート情報取得部、３０…携帯端末、５０…サーバ、５２…（サーバの）記憶部、６０…サーバ制御部、６１…ルート検索受付部、６２…嗜好情報作成部、６３…ルート決定部、８１（８１ａ，８１ｂ，…）…ユーザ情報ブロック、８２…ユーザＩＤ、８３…嗜好情報、８５…嗜好情報対応テーブル。
【図１】
0006635749.tif 000002
【図２】
0006635749.tif 000003
【図３】
0006635749.tif 000004
【図４】
0006635749.tif 000005
【図５】
0006635749.tif 000006
【図６】
0006635749.tif 000007